(57)【特許請求の範囲】
【請求項１】
電力が供給されて光を出射する光源ランプと、
冷却風を送風して前記光源ランプを冷却する冷却装置と、
前記光源ランプおよび前記冷却装置を制御する制御装置と、を備え、
前記制御装置は、
第１電力が前記光源ランプに供給される通常モードと、前記第１電力よりも小さい電力が前記光源ランプに供給されるスタンバイモードとのうちいずれかのモードに設定するモード設定部と、
設定されたモードに応じて、前記光源ランプに供給される電力を制御する光源制御部と、
設定されたモードに応じて、前記冷却装置から送風される冷却風量を制御する冷却制御部と、を含み、
前記光源制御部は、前記スタンバイモードの開始から第１所定時間まで、前記第１電力よりも小さい第２電力が前記光源ランプに供給される第１スタンバイモードに設定し、前記第１所定時間が経過した後、前記光源ランプへの電力の供給が停止される第２スタンバイモードに設定し、
前記冷却制御部は、
前記第１スタンバイモードにおいて、前記冷却風量を前記通常モードにおける前記冷却風量よりも少ない第１風量とし、
前記第２スタンバイモードにおいて、前記スタンバイモードの開始から前記第１所定時間よりも大きい第２所定時間が経過するまで、前記冷却風量を前記通常モードにおける前記冷却風量よりも多い第２風量とし、
前記第２スタンバイモードにおいて、前記スタンバイモードの開始から前記第２所定時間が経過した後、前記冷却風量をゼロよりも大きく前記通常モードにおける前記冷却風量よりも少ない第３風量とする
ことを特徴とするプロジェクター。
【請求項２】
請求項１に記載のプロジェクターにおいて、
前記冷却制御部は、前記第２スタンバイモードにおいて、前記スタンバイモードの開始から前記第２所定時間よりも大きい第３所定時間が経過した後、前記冷却装置を停止させる
ことを特徴とするプロジェクター。
【請求項３】
請求項１または請求項２に記載のプロジェクターにおいて、
前記制御装置は、
前記第２スタンバイモードにおいて、前記光源ランプへの電力の供給が停止されてからの経過時間を計測する計時部と、
前記経過時間に基づいて、前記光源ランプの再点灯における前記光源ランプの制限電流値を設定する制限電流値設定部と、を含み、
前記制限電流値設定部は、前記経過時間が長いほど前記制限電流値を増加させる
ことを特徴とするプロジェクター。
【請求項４】
請求項１から請求項３のいずれか一項に記載のプロジェクターにおいて、
前記光源制御部は、前記モードが前記スタンバイモードに設定された場合、前記光源ランプに供給される電力を時間の経過とともに低下させる
ことを特徴とするプロジェクター。
【請求項５】
請求項１から請求項４のいずれか一項に記載のプロジェクターにおいて、
前記制御装置は、前記モードが前記スタンバイモードに設定されていることを報知させる報知制御部を含む
ことを特徴とするプロジェクター。
【請求項６】
電力が供給されて光を射出する光源ランプ、及び、冷却風を送風して前記光源ランプを冷却する冷却装置を有するプロジェクターの制御方法であって、
通常モードにおいて前記光源ランプに供給される第１電力よりも小さい電力が前記光源ランプに供給されるスタンバイモードに設定する手順と、
前記スタンバイモードの開始から第１所定時間まで、前記光源ランプに供給される電力を前記第１電力よりも小さい第２電力とし、前記冷却装置から送風される冷却風量を前記通常モードにおける前記冷却風量よりも少ない第１風量とする手順と、
前記第１所定時間が経過した後から前記第１所定時間よりも大きい第２所定時間が経過するまで、前記光源ランプへの電力の供給を停止し、前記冷却風量を前記通常モードにおける前記冷却風量よりも多い第２風量とする手順と、
前記第２所定時間が経過した後、前記光源ランプへの電力の供給が停止された状態で、前記冷却風量をゼロよりも大きく前記通常モードにおける前記冷却風量よりも少ない第３風量とする手順と、を含む
ことを特徴とするプロジェクターの制御方法。
【発明の詳細な説明】
【技術分野】
【０００１】
本発明は、プロジェクター及びプロジェクターの制御方法に関する。
【背景技術】
【０００２】
従来、光源ランプから出射された光束を変調し、スクリーン等の被投射面上に投射するプロジェクターが知られている。
さらに、近年では、プロジェクターが起動（電源オン）されている状態で、利用者がプロジェクターを一時的に使用していない場合に、消費電力の低減を目的として、光源ランプを消灯させることが提案されている（例えば、特許文献１〜３参照）。
【先行技術文献】
【特許文献】
【０００３】
【特許文献１】米国特許第７２７３２８５号明細書
【特許文献２】特開２００７−４１６１７号公報
【特許文献３】特開２００７−３６３８号公報
【発明の概要】
【発明が解決しようとする課題】
【０００４】
しかしながら、光源ランプを消灯させてから短時間でプロジェクターの使用を再開する場合、光源ランプの温度が高い状態で光源ランプを再点灯させることになるため、電極が変形したりして、光源ランプの寿命を縮めてしまうという問題がある。また、このような場合は、光源ランプの始動電圧が高くなるため、再点灯までに時間がかかり、輝度の回復が遅くなるという問題がある。
【０００５】
本発明の目的は、光源ランプの長寿命化が図れ、かつ輝度の回復が早いプロジェクター及びプロジェクターの制御方法を提供することにある。
【課題を解決するための手段】
【０００６】
本発明のプロジェクターは、電力が供給されて光を出射する光源ランプと、冷却風を送風して前記光源ランプを冷却する冷却装置と、前記光源ランプおよび前記冷却装置を制御する制御装置と、を備え、前記制御装置は、第１電力が前記光源ランプに供給される通常モードと、前記第１電力よりも小さい電力が前記光源ランプに供給されるスタンバイモードとのうちいずれかのモードに設定するモード設定部と、設定されたモードに応じて、前記光源ランプに供給される電力を制御する光源制御部と、設定されたモードに応じて、前記冷却装置から送風される冷却風量を制御する冷却制御部と、を含み、前記光源制御部は、前記スタンバイモードの開始から第１所定時間まで、前記第１電力よりも小さい第２電力が前記光源ランプに供給される第１スタンバイモードに設定し、前記第１所定時間が経過した後、前記光源ランプへの電力の供給が停止される第２スタンバイモードに設定し、前記冷却制御部は、前記第１スタンバイモードにおいて、前記冷却風量を前記通常モードにおける前記冷却風量よりも少ない第１風量とし、前記第２スタンバイモードにおいて、前記スタンバイモードの開始から前記第１所定時間よりも大きい第２所定時間が経過するまで、前記冷却風量を前記通常モードにおける前記冷却風量よりも多い第２風量とし、前記第２スタンバイモードにおいて、前記スタンバイモードの開始から前記第２所定時間が経過した後、前記冷却風量をゼロよりも大きく前記通常モードにおける前記冷却風量よりも少ない第３風量とする。
【０００７】
ここで、冷却風量を第１風量とすることには、冷却風の送風が停止されて風量がゼロとなる場合も含まれる。
本発明によれば、電力モードがスタンバイモードに設定されると、先ず、光源ランプに供給する電力を通常モード時よりも低下させた第１スタンバイモードとされるため、第１所定時間は光源ランプに低い電力が供給され続ける。このため、第１スタンバイモードから通常モードに復帰する際に、光源ランプの輝度を速やかに回復させることができる。
一方、第１所定時間が経過し第２スタンバイモードに移った後は、光源ランプへの電力供給を停止させるとともに、冷却風量を通常モード時よりも多い第２風量とするため、光源ランプの温度を速やかに低下させることができる。このことにより、光源ランプの温度が高い状態で光源ランプが再点灯されることを防止できるので、光源ランプの長寿命化を図ることができる。また、光源ランプの温度を再点灯が可能な温度まで速やかに低下させることができるので、光源ランプへの電力供給が停止されて光源ランプが消灯した後も、光源ランプを速やかに再点灯させることができる。
【０００８】
本発明のプロジェクターにおいて、前記冷却制御部は、前記第２スタンバイモードにおいて、前記スタンバイモードの開始から前記第２所定時間が経過した後、前記冷却風量をゼロよりも大きく前記通常モードにおける前記冷却風量よりも少ない第３風量とする。
【０００９】
ところで、光源ランプの温度が低くなると、光源ランプの内圧も低くなるため、冷却により光源ランプの温度が低下し過ぎてしまうと、再点灯時に光源ランプが所望の輝度になるまでに時間を要することになり、利便性が悪くなってしまう。
本発明によれば、冷却制御部は、第２スタンバイモードにおいて、冷却風量を通常モードにおける冷却風量よりも多い第２風量とし続けるのではなく、冷却風量を第２風量としてから所定の時間が経過した後に、ゼロよりも大きく通常モードにおける冷却風量よりも少ない第３風量とする。つまり、第２風量の冷却風により光源ランプの温度がある程度低下した後は、冷却風量を低下させて、光源ランプの温度低下を緩やかにする。このことにより、光源ランプの冷却過多を防ぐことができるので、速やかに輝度を回復させることができる。
本発明のプロジェクターにおいて、前記冷却制御部は、前記第２スタンバイモードにおいて、前記スタンバイモードの開始から前記第２所定時間よりも大きい第３所定時間が経過した後、前記冷却装置を停止させることが好ましい。
【００１０】
本発明のプロジェクターにおいて、前記制御装置は、前記第２スタンバイモードにおいて、前記光源ランプへの電力の供給が停止されてからの経過時間を計測する計時部と、前記経過時間に基づいて、前記光源ランプの再点灯における前記光源ランプの制限電流値を設定する制限電流値設定部と、を含み、前記制限電流値設定部は、前記経過時間が長いほど前記制限電流値を増加させることが好ましい。
【００１１】
光源ランプの温度が高いときに光源ランプに高い電流が流れると、電極温度が急激に変化するため、電極が変形する等して、光源ランプが損傷してしまう可能性がある。
本発明によれば、制御装置は、光源ランプの制限電流値を設定する制限電流値設定部を備えているため、光源ランプを再点灯するときに光源ランプに流れる電流値を抑制することができ、光源ランプが損傷してしまうことを防止することができる。
ここで、制限電流値設定部は、第２スタンバイモードにおいて、光源ランプへの電力の供給が停止されてからの経過時間が長いほど制限電流値を増加するため、時間が経過して光源ランプの温度が低くなるにつれて、より制限電流値を増加することができる。このため、光源ランプの温度が低い場合においても、より多くの電流を光源ランプに流すことにより、光源ランプの温度を速やかに上昇させ、迅速に輝度を回復させることができる。
【００１２】
本発明のプロジェクターにおいて、前記光源制御部は、前記モードが前記スタンバイモードに設定された場合、前記光源ランプに供給される電力を時間の経過とともに低下させることが好ましい。
【００１３】
本発明によれば、光源制御部は、電力モードがスタンバイモードに設定されると、光源ランプの電力を時間の経過とともに低下させるため、通常モードからスタンバイモードに移る際の光源ランプの温度変化を穏やかにすることができる。このことにより、急激な温度変化によって光源ランプがダメージを受けてしまうことを防止できる。
【００１４】
本発明のプロジェクターにおいて、前記制御装置は、前記モードが前記スタンバイモードに設定されていることを報知させる報知制御部を含むことが好ましい。
【００１５】
電力モードがスタンバイモードに設定されているときは、光源ランプの輝度が低く、または光源ランプが消灯されているため、利用者は、プロジェクターがオフされていると誤認してしまう可能性がある。
本発明によれば、制御装置は、電力モードがスタンバイモードに設定されていることを報知させる報知制御部を含むため、当該誤認を防止することができる。
また、本発明のプロジェクターの制御方法は、電力が供給されて光を射出する光源ランプ、及び、冷却風を送風して前記光源ランプを冷却する冷却装置を有するプロジェクターの制御方法であって、通常モードにおいて前記光源ランプに供給される第１電力よりも小さい電力が前記光源ランプに供給されるスタンバイモードに設定する手順と、前記スタンバイモードの開始から第１所定時間まで、前記光源ランプに供給される電力を前記第１電力よりも小さい第２電力とし、前記冷却装置から送風される冷却風量を前記通常モードにおける前記冷却風量よりも少ない第１風量とする手順と、前記第１所定時間が経過した後から前記第１所定時間よりも大きい第２所定時間が経過するまで、前記光源ランプへの電力の供給を停止し、前記冷却風量を前記通常モードにおける前記冷却風量よりも多い第２風量とする手順と、前記第２所定時間が経過した後、前記光源ランプへの電力の供給が停止された状態で、前記冷却風量をゼロよりも大きく前記通常モードにおける前記冷却風量よりも少ない第３風量とする手順と、を含むことを特徴とする。
【図面の簡単な説明】
【００１６】
【図１】本実施形態のプロジェクターの概略構成を示す模式図。
【図２】前記実施形態におけるプロジェクターの光源ランプの制限電流値を示す図。
【図３】前記実施形態におけるプロジェクターの制御フローチャート。
【図４】前記実施形態におけるランプ電力およびファン電圧の時間変化を示す図。
【発明を実施するための形態】
【００１７】
以下、本発明の一実施形態を図面に基づいて説明する。
〔プロジェクターの構成〕
図１は、プロジェクター１の概略構成を示す模式図である。
プロジェクター１は、光源ランプ２１１から射出される光束を変調し、スクリーン（図示略）等の被投射面上に投射するものである。このプロジェクター１は、図１に示すように、画像投射部２と、冷却装置としてのファン装置３と、電源装置４と、報知部としてのインジケーター５と、制御装置６とを備えている。
【００１８】
画像投射部２は、制御装置６による制御の下、画像光を形成してスクリーンに投射する。この画像投射部２は、図１に示すように、光源装置２１と、冷却対象である光変調装置２２と、投射光学装置２３等を備える。
光源装置２１は、光束を光変調装置２２に向けて射出する。この光源装置２１は、図１に示すように、光源ランプ２１１と、ランプドライバー２１２とを備える。
光源ランプ２１１は、超高圧水銀ランプにて構成されている。なお、超高圧水銀ランプに限らず、メタルハライドランプ、キセノンランプ等の他の放電発光型の光源ランプを採用してもよい。
ランプドライバー２１２は、制御装置６による制御の下、光源ランプ２１１を駆動する。
【００１９】
光変調装置２２は、制御装置６からの駆動信号に基づいて、光源ランプ２１１から射出された光束を画像光に変調して投射光学装置２３に射出する。
投射光学装置２３は、光変調装置２２から射出された画像光をスクリーンに向けて投射する。
【００２０】
ファン装置３は、冷却ファン３１およびファンドライバー３２を備え、制御装置６による制御の下、外部の冷却空気を導入し、プロジェクター１内の発熱部を冷却する。具体的に、ファン装置３は、ファンドライバー３２が冷却ファン３１を駆動することにより、冷却ファン３１が光源装置２１や光変調装置２２に向けて冷却風を送風することで、これら装置２１，２２を冷却する。
【００２１】
電源装置４は、制御装置６に電力を供給する他、当該制御装置６による制御の下、他の装置（例えば、光源装置２１）に電力を供給する。
インジケーター５は、プロジェクター１の筐体に設けられたＬＥＤ（Light Emitting Diode）等の発光素子を備え、当該発光素子の発光により、プロジェクター１の電源の投入状態や、後述する電力モードの状態を表示する。
【００２２】
制御装置６は、ＣＰＵ（Central Processing Unit）等を含んで構成され、メモリー６８に記憶された制御プログラムにしたがって、プロジェクター１全体を制御する。なお、制御装置６の構成としては、画像投射部２およびファン装置３を駆動制御する機能を主に説明し、その他の機能については説明を省略する。
この制御装置６は、光変調装置制御部６１と、モード設定部６２と、計時部６３と、光源制御部６４と、制限電流値設定部６５と、冷却制御部としてのファン駆動制御部６６と、報知制御部６７と、メモリー６８等を備える。
【００２３】
光変調装置制御部６１は、入力した画像信号に対して所定の処理を施し、処理を施した画像情報（画像データ）に基づく駆動信号を光変調装置２２に出力して、所定の画像光を光変調装置２２に形成させる。この光変調装置制御部６１は、図１に示すように、信号入力部６１１と、画像データ処理部６１２と、駆動信号生成部６１３等を備える。
【００２４】
信号入力部６１１は、入力される画像信号を画像データ処理部６１２にて処理可能な画像情報（デジタル信号）に変換して出力する。
画像データ処理部６１２は、信号入力部６１１から出力されたデジタル信号（デジタル画像データ）に対して所定の画像データ処理を施す。前記画像データ処理としては、例えば、解像度を光変調装置２２の解像度（画素数）に合わせる解像度変換処理、拡大・縮小等の画像サイズ調整処理、輝度調整、コントラスト調整、シャープネス調整等の各種画質調整処理、メニューやメッセージ等のＯＳＤ(オンスクリーンディスプレイ)画像を合成する処理、台形歪補正処理、ガンマ補正処理等がある。
駆動信号生成部６１３は、画像データ処理部６１２にて画像データ処理が施された画像データから光変調装置２２を駆動するための駆動信号を生成し、光変調装置２２に駆動信号を出力することで画像（画像光）を形成させる。
【００２５】
モード設定部６２は、光源ランプ２１１を発光させるための電力モードを設定する。具体的に、モード設定部６２は、信号入力部６１１に画像信号が入力されているときは、電力モードを通常モードに設定し、画像信号の入力がないときは、光源ランプ２１１の電力を通常モード時よりも低下させるスタンバイモードに設定する。つまり、モード設定部６２は、画像信号の入力の有無に応じて、自動的に電力モードを設定する。
【００２６】
計時部６３は、タイマー等によって構成される。この計時部６３は、モード設定部６２にて電力モードがスタンバイモードに設定されている間、スタンバイモードの開始時点からの経過時間を計測する。また、計時部６３は、スタンバイモードにおいて、光源ランプ２１１への電力の供給が停止されてからの経過時間も計測する。そして、計時部６３は、計測した経過時間をメモリー６８に記憶させる。
【００２７】
光源制御部６４は、モード設定部６２にて設定された電力モードに応じて、光源ランプ２１１の電力を制御する。例えば、電力モードがスタンバイモードに設定された場合、光源制御部６４は、光源ランプ２１１に供給する電力を通常モード時よりも低下させ、所定の時間が経過した後、光源ランプ２１１への電力の供給を停止させる。また、光源制御部６４は、光源ランプ２１１への電力供給を停止させた後に電力モードが再度通常モードになった場合には、光源ランプ２１１を再点灯させる。
【００２８】
制限電流値設定部６５は、光源ランプ２１１を点灯させる時に、計時部６３にて計測された経過時間に基づいて、通常モード時に光源ランプ２１１に流れる電流の制限値（制限電流値）を設定する。具体的に、制限電流値設定部６５は、図２に示すように、光源ランプ２１１への電力の供給が停止されてからの経過時間、つまり光源ランプ２１１の消灯後の経過時間が長いほど、制限電流値を増加させるように設定する。
【００２９】
ファン駆動制御部６６は、メモリー６８に記憶された制御プログラムに従い、モード設定部６２にて設定された電力モードに応じて、ファン装置３により送風される冷却風量を制御する。具体的に、ファン駆動制御部６６は、電力モードに応じてファンドライバー３２を制御して、冷却ファン３１の駆動電圧を変化させることで、冷却ファン３１が送風する冷却風量を制御する。
なお、ファン駆動制御部６６は、信頼性を考慮して、通常モード時にファン装置３から送風される冷却風量を一定、つまり通常モード時の冷却ファン３１の駆動電圧を一定にする制御を行う。
【００３０】
報知制御部６７は、インジケーター５に所定の制御信号を出力し、プロジェクター１の電源の投入状態や電力モードの状態をインジケーター５に報知させる。
メモリー６８は、制御プログラムや、上記各構成要素６２〜６７の処理に必要な情報等を記憶している。例えば、メモリー６８は、電力モードごとの光源ランプ２１１の電力や冷却ファン３１の駆動電圧を記憶している。また、メモリー６８は、光源ランプ２１１の制限電流値を、光源ランプ２１１への電力の供給が停止されてからの経過時間に対応させて記憶している。
【００３１】
〔プロジェクターの動作〕
次に、上述したプロジェクター１の制御方法を図面に基づいて説明する。
図３は、プロジェクター１の制御フローチャートである。
図４は、光源ランプ２１１の電力および冷却ファン３１の駆動電圧の時間変化を示す図である。
なお、以下では、制御装置６による光源ランプ２１１および冷却ファン３１の制御を主に説明し、他の制御については、説明を省略する。
【００３２】
図３において、先ず、モード設定部６２は、プロジェクター１が起動された状態で、信号入力部６１１への画像信号の入力の有無を確認する（ステップＳ１）。
ステップＳ１において、信号入力部６１１への画像信号の入力が検出されない場合、報知制御部６７は、モード設定部６２によりスタンバイモードに設定されたことを、インジケーター５の点灯により報知させる。また、計時部６３は、スタンバイモードの開始時点からの経過時間について計測を開始する（ステップＳ２）。
【００３３】
次に、光源制御部６４は、スタンバイモードの開始時点から第１所定時間Ｔ１が経過したか否かを判定する（ステップＳ３）。ここで、第１所定時間Ｔ１は、後述する第１電力Ｐ１で光源ランプ２１１を駆動してから、光源ランプ２１１内で蒸発した電極材料が光源ランプ２１１の内壁に付着するいわゆる黒化が生じない程度の時間に設定されている。本実施形態では、第１所定時間Ｔ１が２０分に設定されている。
【００３４】
ステップＳ３において、第１所定時間Ｔ１が経過していないと判定されると、光源制御部６４は、光源ランプ２１１に供給する電力を通常モード時よりも低下させる（ステップＳ４：第１スタンバイモード）。また、ファン駆動制御部６６は、冷却ファン３１の駆動電圧を第１電圧Ｖ１に低下させる（ステップＳ５）。
【００３５】
すなわち、光源制御部６４は、図４に示すように、電力モードがスタンバイモードに設定されると、ステップＳ４において通常モード時の電力Ｐ０（本実施形態では２３０［Ｗ］）よりも低い第１電力Ｐ１（本実施形態では６０［Ｗ］）で光源ランプ２１１を駆動させる。この際、光源制御部６４は、光源ランプ２１１がダメージを受けないよう、光源ランプ２１１の電力を時間の経過とともに徐々に（本実施形態では４［Ｗ］／秒の勾配で）低下させる。
一方、ファン駆動制御部６６は、冷却ファン３１の駆動電圧を通常モード時の電圧Ｖ０（本実施形態では７．５［Ｖ］）よりも低い第１電圧Ｖ１（本実施形態では２．５［Ｖ］）とすることで、冷却風量を通常モード時の送風量である通常風量よりも少ない第１風量にする。
光源ランプ２１１および冷却ファン３１をこのように駆動することにより、消費電力を低減しつつランプの冷却過多を抑制し、画像信号が再び入力されて通常モードに復帰した場合でも、光源ランプ２１１の輝度を速やかに回復させることができる。
【００３６】
一方、図３のステップＳ３において、第１所定時間Ｔ１が経過したと判定されると、光源制御部６４は、光源ランプ２１１への電力の供給を停止させ、光源ランプ２１１を消灯させる（ステップＳ６：第２スタンバイモード）。このことにより、光源ランプ２１１の黒化が生じる前に光源ランプ２１１が消灯されるので、例えば、黒化を回避する目的で光源ランプ２１１の電力を再び増加させたりする必要がなく、消費電力の一層の低減を図ることができる。
【００３７】
ステップＳ６に続いて、ファン駆動制御部６６は、スタンバイモードの開始時点から第２所定時間Ｔ２（本実施形態では第１所定時間Ｔ１＋４０秒）が経過したか否かを判定する（ステップＳ７）。
ステップＳ７において、第２所定時間Ｔ２が経過していないと判定されると、ファン駆動制御部６６は、冷却ファン３１を通常モード時よりも高い第２電圧Ｖ２で駆動させる（ステップＳ８）。
一方、ステップＳ７において、第２所定時間Ｔ２が経過したと判定されると、ファン駆動制御部６６は、さらに第３所定時間Ｔ３（本実施形態では第１所定時間Ｔ１＋８０秒）が経過したか否かを判定する（ステップＳ９）。そして、ファン駆動制御部６６は、第３所定時間Ｔ３が経過していないと判定された場合は、冷却ファン３１を通常モード時よりも低い第３電圧Ｖ３で駆動させ（ステップＳ１０）、第３所定時間Ｔ３が経過したと判定された場合は、冷却ファン３１を停止させる（ステップＳ１１）。
【００３８】
すなわち、第２スタンバイモードにおいて、ファン駆動制御部６６は、図４に示すように、先ず冷却ファン３１を通常モード時の電圧Ｖ０よりも高い第２電圧Ｖ２（本実施形態では１２［Ｖ］）で駆動させることで、冷却ファン３１による冷却風量を通常風量よりも多い第２風量とさせる。次いで、スタンバイモードの開始時点から第２所定時間Ｔ２経過後に、ファン駆動制御部６６は、冷却ファン３１を通常モード時の電圧Ｖ０よりも低い第３電圧Ｖ３（本実施形態では３［Ｖ］）で駆動させて、冷却風量を通常風量よりも少ない第３風量とする。そして、スタンバイモードの開始時点から第３所定時間Ｔ３経過後に、ファン駆動制御部６６は、冷却ファン３１の駆動電圧をゼロにすることで、冷却ファン３１を段階的に停止させる。
【００３９】
第２スタンバイモードにおいて、ファン駆動制御部６６は、先ず、通常風量よりも多い第２風量で光源ランプ２１１を強制冷却させる。このため、光源ランプ２１１の温度は速やかに低下する。このことにより、光源ランプ２１１の温度を短時間で低下させることができ、光源ランプ２１１の消灯後、短時間で光源ランプ２１１を再点灯可能な状態にすることができる。
【００４０】
ところで、光源ランプ２１１の温度が、再点灯可能な温度を下回ったあとも強制冷却を続けると、光源ランプ２１１の内圧が低くなりすぎて、光源ランプ２１１の再点灯時に通常モードの輝度になるまでに時間を要してしまう。このため、ファン駆動制御部６６は、スタンバイモードの開始時点から第３所定時間Ｔ３が経過すると、冷却ファン３１を停止させる。このことにより、光源ランプ２１１の温度を緩やかに低下させ、再点灯時に通常モードの輝度に復帰する時間が短くなるようにしている。
【００４１】
ここで、冷却ファン３１の駆動電圧を一気にゼロにすることも考えられるが、光源ランプ２１１の周辺の構造や温度状態によっては、光源ランプ２１１の温度が再び上昇してしまう可能性がある。そこで、冷却ファン３１の駆動電圧を段階的に下げてから停止させることにより、光源ランプ２１１を適切に冷却し、光源ランプ２１１の冷却過多および冷却ファン３１停止後の光源ランプ２１１の温度上昇を防止している。また、光源ランプ２１１をより確実に冷却することができるので、光源ランプ２１１の電極間の絶縁破壊を確実に行わせることができる。従って、光源ランプ２１１の再点灯性を確保するとともに、光源ランプ２１１に加わる熱衝撃を緩和することができる。
なお、本実施形態では通常風量は周囲の環境または光源ランプ２１１の駆動条件により第１風量から第２風量の範囲で変動させている。
【００４２】
以上のスタンバイモードにおいて、再び画像信号が入力されると、図３のステップＳ１において、信号入力部６１１への画像信号の入力が検出され、光源制御部６４は、前サイクルで光源ランプ２１１が消灯されていたか否かを判定する（ステップＳ１２）。前サイクルで光源ランプ２１１が消灯されていた（第２スタンバイモード）と判定された場合、制限電流値設定部６５は、光源ランプ２１１への電力の供給が停止されてからの経過時間に応じて光源ランプ２１１の再点灯時の制限電流値を設定し、設定した制限電流値をメモリー６８に記憶させる（ステップＳ１３）。一方、ファン駆動制御部６６は、冷却ファン３１の駆動電圧を通常モード時の電圧Ｖ０まで上昇させる（ステップＳ１４）。次に、光源制御部６４は、光源ランプ２１１を再点灯させる（ステップＳ１５）。この際、光源制御部６４は、光源ランプ２１１の電流をメモリー６８に記憶されている制限電流値に制限させるので、立ち上がり時に光源ランプ２１１に過度の電流が流れることを抑制することができ、光源ランプ２１１が損傷してしまうことを防止することができる。光源ランプ２１１の再点灯後、報知制御部６７は、インジケーター５を消灯させる（ステップＳ１６）。光源ランプ２１１が再点灯してから所定の時間が経過後（本実施形態では６０秒程度）、光源制御部６４は、制限電流値を設定した値から通常モードの定常制限電流値に復帰させる（ステップＳ１７）。その後、計時部６３は、経過時間の計測を停止する（ステップＳ１８）。そして、モード設定部６２は、電力モードを再び通常モードとして光源ランプ２１１を定常駆動させる（ステップＳ１９）。
【００４３】
一方、ステップＳ１２において、前サイクルで光源ランプ２１１が点灯されていたと判定された場合、さらにランプ駆動電力が低電力である(第１スタンバイモード)か否かを判定する(ステップＳ２０)。ランプ駆動電力が低電力の場合、インジケーター５を消灯するとともに、計時を停止し、冷却ファン３１の駆動電圧を通常モード時の電圧Ｖ０まで上昇させ(ステップＳ２１)、通常モードに復帰させる。
【００４４】
上述した実施形態によれば、以下の効果がある。
本実施形態によれば、電力モードがスタンバイモードに設定されると、先ず、光源ランプ２１１に供給する電力を通常モード時よりも低下させた第１スタンバイモードとされるため、所定時間は光源ランプ２１１に通常モード時よりも低い電力が供給され続ける。光源ランプ２１１を消灯しないので、第１スタンバイモードから通常モードに復帰する際に、光源ランプ２１１の輝度を速やかに回復させることができる。
一方、第２スタンバイモードに移った後は、光源ランプ２１１への電力供給を停止させるとともに、冷却風量を通常モード時の通常風量よりも多い第２風量とするため、光源ランプ２１１の温度を速やかに低下させることができる。このことにより、光源ランプ２１１の温度が高い状態で光源ランプ２１１が再点灯されることを防止できるので、光源ランプ２１１の長寿命化を図ることができる。また、光源ランプ２１１の温度を再点灯が可能な温度まで速やかに低下させることができるので、光源ランプ２１１への電力供給が停止されて光源ランプ２１１が消灯した後も、光源ランプ２１１を速やかに再点灯させることができる。
【００４５】
また、ファン駆動制御部６６は、第２スタンバイモードにおいて、冷却風量を通常風量よりも多い第２風量とし続けるのではなく、冷却風量を第２風量とした後に通常風量よりも少ない第３風量とする。つまり、第２風量の冷却風により光源ランプ２１１の温度がある程度低下した後は、冷却風量を低下させて、光源ランプ２１１の温度低下を緩やかにする。このことにより、光源ランプ２１１の冷却過多を防ぐことができるので、速やかに輝度を回復させることができる。
【００４６】
さらに、制御装置６は、光源ランプ２１１の制限電流値を設定する制限電流値設定部６５を備えているため、光源ランプ２１１の再点灯のときに光源ランプ２１１に流れる電流値を抑制することができ、光源ランプ２１１が損傷してしまうことを防止することができる。
ここで、制限電流値設定部６５は、スタンバイモードの開始時点からの経過時間が長いほど制限電流値を増加するため、時間が経過して光源ランプ２１１の温度が低くなるにつれて、より制限電流値を増加することができる。このため、光源ランプ２１１の温度が低い場合ほど、より多くの電流を光源ランプに流すことができる。このことにより、光源ランプ２１１の再点灯のときに光源ランプ２１１の温度が低い場合でも、光源ランプ２１１の温度を速やかに上昇させることができ、迅速に輝度を回復させることができる。
【００４７】
また、光源制御部６４は、電力モードがスタンバイモードに設定されると、光源ランプ２１１の電力を時間の経過とともに低下させるため、通常モードからスタンバイモードに移る際の光源ランプ２１１の温度変化を穏やかにすることができる。このことにより、急激な温度変化によって光源ランプがダメージを受けてしまうことを防止できる。
【００４８】
さらに、制御装置６は、電力モードがスタンバイモードに設定されていることをインジケーター５に報知させる報知制御部６７を備えているため、利用者にプロジェクターがオフされていると誤認されてしてしまうことを防止できる。
【００４９】
また、モード設定部６２は、画像信号の入力の有無に応じて、自動的に電力モードを設定する。
さらに、光源制御部６４は、画像信号の入力がなくなった時点からの経過時間に基づいて、第１スタンバイモードから第２スタンバイモードに切り替える。
すなわち、画像信号の入力がなくなったことをトリガーとして、電力モードを自動的にスタンバイモードに設定したり、第１スタンバイモードから第２スタンバイモードへの切り替え自動的に行うことができるので、利便性をより向上させることができる。また、光源ランプ２１１の電力や冷却ファン３１の駆動電圧を制御するために、光源ランプ２１１の温度を測定する温度センサーを設ける必要がないため、プロジェクター１のコストを低減することができる。
【００５０】
なお、本発明は前述の実施形態に限定されるものではなく、本発明の目的を達成できる範囲での変形、改良等は本発明に含まれるものである。
前記実施形態では、信号入力部６１１への画像信号の入力の有無に応じて、電力モードを設定していたが、これに限らない。例えば、電力モードを設定するための操作部を設け、当該操作部の操作に応じて電力モードを通常モードからスタンバイモードに設定するようしてもよい。
【００５１】
前記実施形態では、スタンバイモードの開始時点からの経過時間に応じて、光源ランプ２１１の電力や冷却ファン３１の駆動電圧を変更していたが、これに限らない。例えば、光源ランプ２１１近傍の温度を検出する温度センサーを設け、当該温度センサーの測定値に応じて、光源ランプ２１１の電力や冷却ファン３１の駆動電圧を変更してもよい。
また、光源ランプ２１１の電力や冷却ファン３１の駆動電圧は、前記実施形態の値に限らず、例えば、冷却ファン３１駆動用の第１電圧Ｖ１を０［Ｖ］としてもよい。
【００５２】
前記実施形態では、ファン装置３は、冷却空気を送風する冷却ファン３１を備えていたが、ファン装置３の構成としては、これに限らない。例えば、ファン装置３が、光源ランプ２１１に送風される冷却空気の流量を調整するルーバー等の調節手段を備え、冷却制御部が、当該調整手段の動作を制御することで、光源ランプ２１１に送風される冷却空気の流量を調整する構成としてもよい。
【００５３】
前記実施形態では、ファン駆動制御部６６は、第１スタンバイモードにおいて、通常モード時よりも低い電圧で駆動させることで、冷却風量を通常モード時よりも少ない状態にしていたが、これに限らず、冷却ファン３１を停止させてもよい。
前記実施形態では、ファン駆動制御部６６は、第２スタンバイモードにおいて、冷却ファン３１を段階的に停止させていがた、これに限らず、冷却ファン３１の駆動電圧を連続的に低下、つまり時間の経過とともに徐々に低下させるようにしてもよい。
前記実施形態では、冷却ファン３１の駆動制御は、冷却ファン３１への駆動電圧を変化させて行っていたが、ＰＷＭ（Pulse Width Modulation）で制御しても良い。
【００５４】
前記実施形態では、報知部としてインジケーター５を採用したが、報知部の構成としては、これに限らない。例えば、音声出力部を報知部とし、当該音声出力部を制御することで、電力モードの状態を音声出力させるようにしてもよい。
前記実施形態での光変調装置２２としては、透過型の液晶パネル、反射型の液晶パネル、あるいは、マイクロミラーを用いたデバイス等を採用してもよい。
【産業上の利用可能性】
【００５５】
本発明は、光源ランプを備えたプロジェクターに利用できる。
【符号の説明】
【００５６】
１…プロジェクター、３…ファン装置（冷却装置）、５…インジケーター（報知部）、６…制御装置、６２…モード設定部、６３…計時部、６４…光源制御部、６５…制限電流値設定部、６６…ファン駆動制御部（冷却制御部）、６７…報知制御部、２１１…光源ランプ。
【図１】
0005953777.tif 000002
【図２】
0005953777.tif 000003
【図３】
0005953777.tif 000004
【図４】
0005953777.tif 000005